(57)【要約】 【課題】  発信側の電話機の電気通信事業者に関する情報を表示することができる発信者情報表示方法および電話機を提供する。【解決手段】  携帯電話機２から電話機１に対して、発呼情報を送信するとき、携帯電話機２の基地局３の中継装置は、携帯電話機２の電気通信事業者に関する情報、つまり電気通信事業者情報（以下、キャリア情報という）を、発呼情報に付加する。キャリア情報が付加された発呼情報は、電話交換システム４を介して、電話機１に送信される。電話機１は、受信した発呼情報に付加されているキャリア情報を、ディスプレイ１０に表示する。【選択図】      図１
2006121512.tif 000002
【特許請求の範囲】
【請求項１】
発信側の電話機の電気通信事業者に関する電気通信事業者情報であって、前記発信側の電話機から発信された発呼情報に、その発呼情報の送信を中継する中継装置によって付加された電気通信事業者情報を、前記発信側の電話機の電気通信事業者が提供している通信システムを利用している受信側の電話機であって、前記発呼情報を受信した受信側の電話機の表示部に表示することを特徴とする発信者情報表示方法。
【請求項２】
発信側の電話機から発信された発呼情報であって、その発呼情報の送信を中継する中継装置によって、前記発信側の電話機の電気通信事業者に関する電気通信事業者情報が付加された発呼情報を、前記発信側の電話機の電気通信事業者が提供している通信システムを利用して受信する送受信手段と、
情報を表示する表示手段と、
前記発信側の電話機から発信された発呼情報を前記送受信手段によって受信したとき、前記受信した発呼情報に付加された電気通信事業者情報を取得し、取得した電気通信事業者情報を前記表示手段に表示させる制御手段とを含むことを特徴とする電話機。
【請求項３】
情報を記憶する記憶手段を含み、
前記制御手段は、前記取得した電気通信事業者情報を前記記憶手段に記憶させることを特徴とする請求項２に記載の電話機。
【請求項４】
前記発信側の電話機から発信された発呼情報は、前記発信側の電話機の電話番号を含み、
前記送受信手段は、さらに電話番号とその電話番号を提供する電気通信事業者の電気通信事業者情報とを対応付けて管理するサーバから情報を取得し、
前記制御手段は、前記送受信手段によって受信した発呼情報に含まれる電話番号を提供する電気通信事業者の電気通信事業者情報を、前記サーバから前記送受信手段に取得させ、前記送受信手段に取得させた電気通信事業者情報を前記記憶手段に記憶させることを特徴とする請求項３に記載の電話機。
【請求項５】
前記記憶手段は、電話番号および電気通信事業者情報を含むアドレス情報を記憶し、
前記制御手段は、前記記憶手段に記憶されたアドレス情報を、そのアドレス情報の中から発信先を選択させるための選択情報として、前記表示手段に表示させるとき、前記記憶手段に記憶された電気通信事業者情報に基づいて生成した情報を付加した選択情報を前記表示手段に表示させることを特徴とする請求項３または４に記載の電話機。
【請求項６】
前記サーバは、さらに電気通信事業者の料金およびサービスに関する情報を含むサービス情報を管理し、
前記制御手段は、前記記憶手段に記憶された電気通信事業者情報に対応する電気通信事業者のサービス情報を、前記サーバから前記送受信手段に取得させ、
前記送受信手段に取得させたサービス情報に基づく情報を付加した選択情報を前記表示手段に表示させることを特徴とする請求項５に記載の電話機。
【請求項７】
前記表示手段に表示された選択情報に含まれる電気通信事業者情報に基づいて生成された情報を変更するための変更情報を入力する入力手段を含み、
前記制御手段は、前記入力手段によって入力された変更情報に基づいて、前記電気通信事業者情報に基づいて生成された情報を変更し、かつ変更した電気通信事業者情報に基づいて生成した情報を前記記憶手段に記憶させることを特徴とする請求項５に記載の電話機。
【発明の詳細な説明】
【技術分野】
【０００１】
本発明は、発信側の電話機に関する情報を表示することができる発信者情報表示方法および電話機に関する。
【背景技術】
【０００２】
携帯電話会社などの電気通信事業者が提供するサービスは、各社間での競争が激化しており、他社との差別化を図るために、各社独自のサービス展開を行っている。たとえば音声通話に関連するサービスにおいて、携帯電話から固定電話への通話料金の低価格化、特定の日の通話料金の割引、および特定の職業の契約者に対する格安料金の設定などがある。さらに、同じ携帯電話会社の電話機間の通話にのみ適用される割引サービスもあり、発信側の電話機の携帯電話会社と受信側の電話機の携帯電話会社とが異なっていると、通話料金に差が出ることがある。したがって発信側の電話機に関する情報、特に電気通信事業者（以下、キャリアという）に関する情報に基づいて得られるメリットが増している。
【０００３】
発信側の電話機に関する情報を表示する第１の従来技術として、予め発信者電話番号と発信者名とを対応付けて登録しておくことによって、着信時に発信側の電話番号に対応する発信者名を表示する電話機の着信表示方式がある。発信者名を表示することができるので、発信者が誰であるかを容易に確認することができる（たとえば特許文献１参照）。
【０００４】
発信側の電話機に関する情報を表示する第２の従来技術として、発信側交換機において、発信側電話番号に対応する加入者名を発呼メッセージに付加し、着信側電話機が付加された加入者名を表示する発信者名表示電話方式がある。着信側電話機において、発信者名が登録されていない電話番号の電話機からの着信に対しても加入者名を表示することによって、発信者を特定することができるようにしたものである（たとえば特許文献２参照）。
【０００５】
発信側の電話機に関する情報を表示する第３の従来技術として、発信側の携帯端末装置が固有の文字情報、たとえばユーザ名あるいは使用場所を送信し、着信側の携帯端末装置がその文字情報を表示する携帯電話通信システムがある。着信側の携帯端末装置に発信者の名前などが登録されていないときにも、表示される文字情報によって、発信者を特定できるようにしたものである（たとえば特許文献３参照）。
【０００６】
発信側の電話機に関する情報を表示する第４の従来技術として、着信側の電話機が、受信した発信者情報に含まれる発信者を特定するための情報を、表示部に表示する発信者名表示方法がある。この発信者情報は、電話会社のデータベースに予め登録された情報であり、着信側の電話機が着信を受けたとき、登録された発信者情報が発信側の交換機および着信側の交換機を介して、着信側の電話機に送られる。したがって、発信者に関する情報が着信側の電話機に登録されていないときにも、表示された発信者を特定するための情報から、発信者を知ることができる（たとえば特許文献４参照）。
【０００７】
【特許文献１】特開平９−２３２６５号公報
【特許文献２】特開平３−２４１９５５号公報
【特許文献３】特開平１１−２９８９６６号公報
【特許文献４】特開２００４−８８１８６号公報
【発明の開示】
【発明が解決しようとする課題】
【０００８】
しかしながら、第１の従来技術は、予め着信側の電話機に登録された電話番号に対応した発信者情報に基づいて、着信時に発信者情報を表示するものである。過去に着信したことがない電話機からの着信など電話番号が登録されていない電話からの着信のとき、電話番号のみが発信者情報表示として表示され、登録されていない情報は、表示されないという問題がある。着信時に表示した電話番号または履歴情報に記憶した電話番号に発信するとき、あるいは着信履歴に記憶した情報をアドレス帳に登録するとき、電話番号から電気通信事業者を区別することも可能である。しかし電話番号によって、固定電話機の電気通信事業者と携帯電話機の電気通信事業者とを区別することは容易であるが、携帯電話機の電気通信事業者を識別することは困難であり、発信者に直接尋ねるなどして電気通信事業者を取得する必要がある。
【０００９】
第２の従来技術は、発信側交換機によって発呼メッセージに付加された加入者名を表示するものであって、発信側の電話機の電気通信事業者に関する情報を表示することはできないという問題がある。
【００１０】
第３の従来技術は、発信側の携帯端末装置が固有の文字情報を送信するものであり、固有の文字情報として、電気通信事業者に関する情報を送信することも可能である。しかし発信側の携帯端末装置に電気通信事業者に関する情報を予め登録しておく必要があり、登録されていないと、着信側の携帯端末装置は、電気通信事業者に関する情報を表示できないという問題がある。
【００１１】
第４の従来技術は、発信者が電話会社のデータベースに登録した情報に基づいて、発信者名を特定するための情報を着信側の電話機の表示部に表示するものである。発信者がデータベースに発信者名を特定するための情報を登録していないと、発信者名を特定するための情報を表示できないという問題がある。したがって、発信者名の登録に手間を掛けたくない、あるいは個人名などのプライバシー情報を電話機のアドレス帳に登録したくないという理由から、発信者名が電話機のアドレス帳に未登録である電話機に、多くの発信を行う発信者にのみ効果が限定され、他の発信者には効果が無いという可能性がある。さらにデータベースから情報を取得するためには、着信時およびアドレス登録時に、オンラインでネットワークを介してデータベースにアクセスする必要があり、アクセスする度に通信コストが必要になるという問題がある。
【００１２】
本発明の目的は、発信側の電話機の電気通信事業者に関する情報を表示することができる発信者情報表示方法および電話機を提供することである。
【課題を解決するための手段】
【００１３】
本発明は、発信側の電話機の電気通信事業者に関する電気通信事業者情報であって、前記発信側の電話機から発信された発呼情報に、その発呼情報の送信を中継する中継装置によって付加された電気通信事業者情報を、前記発信側の電話機の電気通信事業者が提供している通信システムを利用している受信側の電話機であって、前記発呼情報を受信した受信側の電話機の表示部に表示することを特徴とする発信者情報表示方法である。
【００１４】
本発明に従えば、発信者情報表示方法によって、発信側の電話機の電気通信事業者に関する電気通信事業者情報であって、前記発信側の電話機から発信された発呼情報に、その発呼情報の送信を中継する中継装置によって付加された電気通信事業者情報が、前記発信側の電話機の電気通信事業者が提供している通信システムを利用している受信側の電話機であって、前記発呼情報を受信した受信側の電話機の表示部に表示されるので、発信側の電話機の電気通信事業者に関する情報を表示することができる。
【００１５】
また本発明は、発信側の電話機から発信された発呼情報であって、その発呼情報の送信を中継する中継装置によって、前記発信側の電話機の電気通信事業者に関する電気通信事業者情報が付加された発呼情報を、前記発信側の電話機の電気通信事業者が提供している通信システムを利用して受信する送受信手段と、
情報を表示する表示手段と、
前記発信側の電話機から発信された発呼情報を前記送受信手段によって受信したとき、前記受信した発呼情報に付加された電気通信事業者情報を取得し、取得した電気通信事業者情報を前記表示手段に表示させる制御手段とを含むことを特徴とする電話機である。
【００１６】
本発明に従えば、送受信手段によって、発信側の電話機から発信された発呼情報であって、その発呼情報の送信を中継する中継装置によって、前記発信側の電話機の電気通信事業者に関する電気通信事業者情報が付加された発呼情報が、前記発信側の電話機の電気通信事業者が提供している通信システムを利用して受信され、表示手段によって、情報が表示され、制御手段によって、前記発信側の電話機から発信された発呼情報を前記送受信手段によって受信したとき、前記受信した発呼情報に付加された電気通信事業者情報を取得し、取得した電気通信事業者情報を前記表示手段に表示させる。
【００１７】
このように、制御手段によって、中継装置によって付加された電気通信事業者情報を取得し、取得した電気通信事業者情報を表示手段に表示させるので、発信側の電話機の電気通信事業者に関する情報を表示することができる。
【００１８】
また本発明は、情報を記憶する記憶手段を含み、
前記制御手段は、前記取得した電気通信事業者情報を前記記憶手段に記憶させることを特徴とする。
【００１９】
本発明に従えば、取得した電気通信事業者情報を記憶手段に記憶させるので、記憶させた電気通信事業者情報を利用することができる。
【００２０】
また本発明は、前記発信側の電話機から発信された発呼情報は、前記発信側の電話機の電話番号を含み、
前記送受信手段は、さらに電話番号とその電話番号を提供する電気通信事業者の電気通信事業者情報とを対応付けて管理するサーバから情報を取得し、
前記制御手段は、前記送受信手段によって受信した発呼情報に含まれる電話番号を提供する電気通信事業者の電気通信事業者情報を、前記サーバから前記送受信手段に取得させ、前記送受信手段に取得させた電気通信事業者情報を前記記憶手段に記憶させることを特徴とする。
【００２１】
本発明に従えば、電話番号とその電話番号を提供する電気通信事業者の電気通信事業者情報とを対応付けて管理するサーバから、送受信手段によって受信された発呼情報に含まれる電話番号を提供する電気通信事業者の電気通信事業者情報を、送受信手段に取得させ、取得された電気通信事業者情報を記憶手段に記憶するので、基地局の中継装置によって発呼情報に付加された電気通信事業者情報を利用することができないときであっても、サーバから電気通信事業者情報を取得して、記憶することができる。
【００２２】
また本発明は、前記記憶手段は、電話番号および電気通信事業者情報を含むアドレス情報を記憶し、
前記制御手段は、前記記憶手段に記憶されたアドレス情報を、そのアドレス情報の中から発信先を選択させるための選択情報として、前記表示手段に表示させるとき、前記記憶手段に記憶された電気通信事業者情報に基づいて生成した情報を付加した選択情報を前記表示手段に表示させることを特徴とする。
【００２３】
本発明に従えば、アドレス情報の中から発信先を選択させるための選択情報を表示手段に表示させるとき、記憶手段に記憶された電気通信事業者情報に基づいて生成した情報を付加して表示するので、電気通信事業者情報を、たとえば特定のメッセージおよびアイコン画像などの情報として提供することができる。
【００２４】
また本発明は、前記サーバは、さらに電気通信事業者の料金およびサービスに関する情報を含むサービス情報を管理し、
前記制御手段は、前記記憶手段に記憶された電気通信事業者情報に対応する電気通信事業者のサービス情報を、前記サーバから前記送受信手段に取得させ、
前記送受信手段に取得させたサービス情報に基づく情報を付加した選択情報を前記表示手段に表示させることを特徴とする。
【００２５】
本発明に従えば、送受信手段によって、電気通信事業者の料金およびサービスに関する情報を含むサービス情報を管理するサーバから、記憶手段に記憶された電気通信事業者情報に対応する電気通信事業者のサービス情報を取得させ、取得されたサービス情報に基づく情報を選択情報に付加して表示手段に表示するので、発信先の電話機の電気通信事業者が提供する料金およびサービスなどを利用して発信することができる。
【００２６】
また本発明は、前記表示手段に表示された選択情報に含まれる電気通信事業者情報に基づいて生成された情報を変更するための変更情報を入力する入力手段を含み、
前記制御手段は、前記入力手段によって入力された変更情報に基づいて、前記電気通信事業者情報に基づいて生成された情報を変更し、かつ変更した電気通信事業者情報に基づいて生成した情報を前記記憶手段に記憶させることを特徴とする。
【００２７】
本発明に従えば、表示手段に表示された選択情報に含まれる電気通信事業者情報に基づいて生成した情報を、入力手段によって入力された変更情報に基づいて変更し、変更した電気通信事業者情報に基づいて生成した情報を記憶手段に記憶するので、電気通信事業者情報を、ユーザ固有の情報に変更して利用することができる。
【発明の効果】
【００２８】
本発明によれば、着信時に受信された発呼情報に付加された電気通信事業者情報は、発呼情報を中継する基地局の中継装置によって付加されるので、発信側の電話機および着信側の電話機に予め電気通信事業者情報を登録しておかなくても、着信時に着信側の電話機に、発信側の電話機の電気通信事業者情報を表示することができる。したがって、着信時に、電話番号とその電話番号を提供する電気通信事業者名とを対応付けたデータベースなどを記憶する記憶装置にアクセスする必要が無く、通信コストを最小限に抑えることができる。
【００２９】
また本発明によれば、着信時に受信手段によって受信された発呼情報に付加された電気通信事業者情報は、発呼情報を中継する基地局の中継装置によって付加されるので、発信側の電話機および着信側の電話機に予め電気通信事業者情報を登録しておかなくても、着信時に着信側の電話機に、発信側の電話機の電気通信事業者情報を表示手段に表示させることができる。したがって、着信時に、電話番号とその電話番号を提供する電気通信事業者名とを対応付けたデータベースなどを記憶する記憶装置にアクセスする必要が無く、通信コストを最小限に抑えることができる。
【００３０】
また本発明によれば、取得した電気通信事業者情報を記憶手段に記憶する、具体的には記憶部に記憶したアドレス帳に登録するので、アドレス帳から発信先を選択するとき、発信先名とともに、電気通信事業者情報を表示することができ、ユーザは表示された電気通信事業者情報を確認して発信先を選択することができる。
【００３１】
また本発明によれば、電話番号とその電話番号を提供する電気通信事業者の電気通信事業者情報とを対応付けて管理するサーバから、受信された発呼情報に含まれる電話番号を提供する電気通信事業者の電気通信事業者情報を取得し、取得した電気通信事業者情報を記憶するので、基地局の中継装置によって発呼情報に付加された電気通信事業者情報を利用することができないときであっても、サーバから電気通信事業者情報を取得して、記憶することができる。したがって、携帯電話機に対する発信、携帯電話機間での発着信、およびメールの送受信に当たって、初めて通信する相手でも、相手の電話機の電気通信事業者に関する情報を容易に知ることができる。データベースには、ユーザ名など重要なプライベートの情報を予め登録する必要がなく、ユーザはプライベートの情報に対するセキュリティを気にせず、気軽に電気通信事業者名を知ることができる。
【００３２】
また本発明によれば、アドレス情報の中から発信先を選択させるための選択情報を表示するとき、電気通信事業者情報に基づいて生成した情報を付加して表示するので、電気通信事業者情報を、たとえば特定のメッセージおよびアイコン画像などの情報として提供することができる。したがって、より分かりやすい情報がユーザに提供され、かつより適切な発信先を選択することができる。
【００３３】
また本発明によれば、送受信手段によって、電気通信事業者の料金およびサービスに関する情報を含むサービス情報を管理するサーバから、記憶手段に記憶された電気通信事業者情報に対応する電気通信事業者のサービス情報を取得させ、取得されたサービス情報に基づく情報を選択情報に付加して表示手段に表示するので、発信先の電話機の電気通信事業者が提供する料金およびサービスなどを利用して発信することができる。したがって、お互いの通信コストを考慮することができ、かつ各電気通信事業者特有の割引サービスおよび同じ電気通信事業者間にのみ適用されるサービスを十分に有効利用することによって、心地よくかつ効率のよいコミュニケーションを行うことができる。
【００３４】
また本発明によれば、表示手段に表示された選択情報に含まれる電気通信事業者情報に基づいて生成した情報を、入力手段によって入力された変更情報に基づいて変更し、変更した電気通信事業者情報に基づいて生成した情報を記憶手段に記憶するので、電気通信事業者情報を、ユーザ固有の情報に変更して利用することができる。したがって、表示部に表示する電気通信事業者情報を、よりユーザに分かりやすく、かつ使いやすい情報にすることができる。
【発明を実施するための最良の形態】
【００３５】
図１は、本発明の実施の一形態である発信者情報表示方法が適用されるシステムの概略構成を示す図である。図１に示したシステムは、電話機１、携帯電話機２、基地局３、および電話交換システム４を含んで構成される。電話機１は、家庭および会社などに設置される固定電話機、または無線通信が可能な携帯電話機であり、電話網である電話交換システム４から送信される発呼情報、つまり音声通話を始める際に送信される情報を受信し、オフフックされることによって、つまり受話器が取られることによって、音声通話を行うことができる。
【００３６】
携帯電話機２は、発呼情報などの送受信および音声通話などを中継する中継装置である基地局３を介して、電話交換システム４と接続可能である。電話機１および携帯電話機２は、それぞれ、文字情報などを表示することができる液晶ディスプレイなどの表示手段であるディスプレイ１０およびディスプレイ２０を含む。基地局３の中継装置は、携帯電話機２の電話会社、つまり電気通信事業者の中継装置である。電話機１および携帯電話機２は、メールの送受信機能を有していてもよい。
【００３７】
携帯電話機２から電話機１に対して、発呼情報を送信するとき、携帯電話機２の基地局３の中継装置は、携帯電話機２の電気通信事業者（以下、キャリアともいう）に関する情報、つまり電気通信事業者情報（以下、キャリア情報ともいう）を、発呼情報に付加する。キャリア情報が付加された発呼情報は、電話交換システム４を介して、電話機１に送信される。電話機１は、受信した発呼情報に付加されているキャリア情報を、ディスプレイ１０に表示する。キャリア情報には、電気通信事業者の名称である電気通信事業者名（以下、キャリア名ともいう）が含まれる。このように、電話機１は、携帯電話機２の電気通信事業者が提供している通信システムを利用して、キャリア情報を受信する。
【００３８】
図２は、図１に示したディスプレイ１０に表示されたキャリア情報の例を示す図である。電話機１が、発呼情報を受信し、ユーザが受話器を取る前に、受信した発呼情報に基づいて表示する情報を示している。
【００３９】
図２（ａ）は、発信者名が電話機１のアドレス帳に登録されているときの例を示す図である。アドレス帳は、電話番号、電話の所有者名、キャリア名などを対応付けた情報であり、アドレス帳に登録されている情報がアドレス情報である。上段には「−着信中−」、中段にはアドレス帳に登録されている発信者の名前である発信者登録名「○○  ○○○」、および下段には携帯電話機２のキャリア名である携帯電話キャリア名「ＮＴ＊  ｄｏｃｏ＊＊」が示されている。発信者登録名は、たとえば電話機１のアドレス帳に登録されている情報であり、発呼情報に含まれる発信側の電話番号に対応する発信者名である。携帯番号キャリア名は、発呼情報に付加されたキャリア情報に含まれる情報であり、携帯電話機２のキャリア名である。電話番号に対応するキャリア情報がすでにアドレス帳に登録されているときは、アドレス帳に登録されているキャリア情報に含まれるキャリア名を表示する。
【００４０】
図２（ｂ）は、発信者名が電話機１のアドレス帳に登録されていないときの例を示す図である。上段には「−着信中−」、中段には発信者携帯電話番号「０Ｘ０−ＸＸＸＸ−ＸＸＸＸ」、下段には携帯電話キャリア名「ｖｏｄａｆｏ＊＊」が示されている。発信者名がアドレス帳に登録されていないために、発信者名を特定することができず、発信者登録名の代わりに、発信者携帯電話番号つまり発呼情報に含まれる発信側の電話番号を表示している。下段に表示されている携帯電話キャリア名は、発呼情報に付加されているキャリア情報に含まれるキャリア名である。このように、アドレス帳に電話番号が登録されていなくても、キャリア情報を表示することができる。
【００４１】
図３は、本発明の実施の他の形態である電話機１の概略構成を示す図である。この電話機１は、図１に示したシステムに適用される電話機１である。電話機１は、制御部１１、記憶部１２、表示部１３、入力部１４、送受信部１５、および通話部１６を含んで構成される。制御部１１は、コンピュータであり、記憶部１２に記憶されたプログラムを実行することによって、電話機１全体を制御する。記憶部１２は、制御部１１で実行されるプログラム、アドレス帳、および履歴情報などを記憶する半導体メモリなどの記憶装置であり、制御部１１からの指示によって、情報の読み出し書き込みを行う。履歴情報は、発着信したときに記憶された通話およびメールに関する情報である。
【００４２】
表示部１３は、数字、文字、記号、およびアイコンなどを表示する液晶ディスプレイなどの表示画面を有する表示装置であり、図１に示したディスプレイ１０に相当するもので、制御部１１からの情報を表示する。入力部１４は、数字、文字、および記号などを入力するための文字キー、および入力位置を操作、あるいはメニューを選択するための操作キーなどから構成される入力装置であり、ユーザが入力した情報を制御部１１に送信する。
【００４３】
送受信部１５は、発呼情報およびメールなどの情報を送受信し、受信した情報を制御部１１に送信し、制御部１１からの情報を送信する。通話部１６は、受話器および通話回路などを含み、音声通話つまり音による通話を実現する。
【００４４】
制御部１１が制御手段、記憶部１２が記憶手段、表示部１３が表示手段、入力部１４が入力手段、送受信部１５が送受信手段である。
【００４５】
図４は、本発明の実施の一形態である発信者情報表示方法における処理の流れの一例を示すフローチャートである。この処理は、たとえば図３に示した電話機１の制御部１１によって実行される。電話機１に発呼情報が着信したときにステップＳ１に移る。
【００４６】
ステップＳ１では、携帯電話機２からの着信があると、着信した発呼情報とその発呼情報に付加されたキャリア情報を受信する。つまり携帯電話機２が発信した発呼情報、およびその発呼情報に基地局３の中継装置によって付加されたキャリア情報を取得する。ステップＳ２では、取得したキャリア情報を、受信した発呼情報に含まれる電話番号などとともに、着信履歴情報として記憶部１３に格納する。
【００４７】
ステップＳ３では、発信者の電話番号がアドレス帳に登録されているか否かを判定する。登録されていないとき、ステップＳ７に進み、登録されているとき、ステップＳ４に進む。ステップＳ４では、発信者の電話番号が登録されているアドレス帳に、キャリア情報が登録されているか否かを判定する。登録されていないときは、ステップＳ６に進み、登録されているときは、ステップＳ５に進む。
【００４８】
ステップＳ５では、アドレス帳に登録されている電話番号、およびアドレス帳に登録されているキャリア情報に含まれるキャリア名を表示して終了する。ステップＳ６では、アドレス帳に登録されている電話番号、および受信したキャリア情報に含まれるキャリア名を表示して終了する。ステップＳ７では、受信した発呼情報に含まれる電話番号、および受信したキャリア情報に含まれるキャリア名を表示して終了する。
【００４９】
このようにして、電話機１のユーザつまり利用者は、携帯電話機２のキャリア名を確認した後に応答、つまり受話器を取ることができ、相手の携帯電話機２のキャリア特有の通信コスト等を考慮ながら音声通話を行うことができる。電話機１の利用者は、着信時に着信履歴情報として格納した携帯電話機２のキャリア情報を、アドレス帳に登録することができる。したがって、その相手の携帯電話機２に対して、音声通話のために発信を行う際、アドレス帳に登録されたキャリア情報から、相手の携帯電話機２のキャリア名を確認することができ、キャリア特有のサービスなどを十分に考慮して、音声通話を行うことができる。
【００５０】
さらに着信時に受信された発呼情報に付加されたキャリア情報は、発呼情報を中継する基地局の中継装置によって付加されるので、発信側の電話機および着信側の電話機に予めキャリア情報を登録しておかなくても、着信時に着信側の電話機に、発信側の電話機のキャリア情報を表示することができる。したがって、着信時に、電話番号とその電話番号を提供するキャリア名とを対応付けたデータベースなどを記憶する記憶装置にアクセスする必要が無く、通信コストを最小限に抑えることができる。
【００５１】
図５は、本発明の実施のさらに他の形態である電話機５が関連するシステムの概略構成を示す図である。図５に示したシステムは、電話機５、ネットワーク６、およびデータベース７を含んで構成される。電話機５は、図３に示した電話機１と同じ構成であるので、構成の説明は省略する。ディスプレイ５０は、電話機１のディスプレイ１０に相当する。ネットワーク６は、インターネットなどのネットワークである。電話機５は、ネットワーク６を介してデータベース７と、情報を送受信することができる。
【００５２】
データベース７は、電話番号、たとえば携帯電話機の電話番号と、電話番号を提供する電気通信事業者に関する情報つまりキャリア情報とを対応付けて、磁気ディスク装置などの記憶装置に記憶したデータベースであり、データベースを管理する図示しないサーバによって制御される。
【００５３】
新規の電話番号をアドレス帳に登録するとき、つまり着信履歴のない電話番号をアドレス帳に登録するとき、電話機５の制御部１１は、送受信部１５によって、データベース７のサーバにアクセスし、特定の電話番号たとえばユーザが登録したい電話番号に対応するキャリア情報を、データベース７から取得し、取得したキャリア情報をアドレス帳に記憶つまり登録する。制御部１１は、ユーザが入力部１４を操作して、キャリア情報を取得する指示を行なったときに、データベース７のサーバにアクセスしてキャリア情報を取得するようにしてもよいし、または自動的に、たとえばアドレス帳に新規に登録するときは、必ずデータベース７のサーバにアクセスしてキャリア情報を取得するようにしてもよい。
【００５４】
このように、着信時以外のとき、つまり基地局３の中継装置によって発呼情報に付加されたキャリア情報を取得することができないときであっても、データベース７から電話番号に対応するキャリア情報を取得することができる。したがって、たとえば携帯電話機に対する発信、携帯電話機間での発着信、およびメールの送受信に当たって、初めて通信する相手でも、相手の電話機のキャリア名を確認して発信することができる。さらにデータベース７には、ユーザ名など重要なプライベートの情報を予め登録する必要がなく、ユーザはプライベートの情報に対するセキュリティを気にせず、気軽にキャリア名を知ることができる。
【００５５】
電話機５の制御部１１は、音声通話またはメールを発信するとき、ユーザに発信先を選択させるために、アドレス帳に記憶されている情報、つまりアドレス情報を表示部１３に表示する。さらにアドレス情報にキャリア情報が含まれるとき、キャリア情報に基づいて生成された情報、たとえば特定のメッセージあるいはアイコン画像も表示する。ユーザは、表示部１３に表示された情報の中から、表示されたキャリア名、および特定のメッセージあるいはアイコン画像などを参考にして、入力部１４によって発信先を選択することができる。特定のメッセージあるいはアイコン画像などの情報、つまりキャリア情報に基づいて生成された情報を、記憶部１２に記憶されたアドレス帳に登録してもよい。ユーザに発信先を選択させるために表示部１３に表示される情報、つまりアドレス情報の中から発信先を選択させるための情報が選択情報である。
【００５６】
データベース７は、さらに電気通信事業者つまりキャリアが提供するサービス情報を記憶してもよい。電話機５の制御部１１は、キャリア情報を取得するとき、対応するキャリアが提供するサービス情報も取得する。サービス情報は、たとえばキャリアの音声通話料、メール送受信料、キャリア特有の割引サービスなどの情報、すなわちコストパフォーマンスの高い通信を行うために役立つ情報を含む。
【００５７】
制御部１１は、キャリア名を表示部１３に表示するとき、たとえばユーザに発信先を選択させるとき、取得したサービス情報に基づく情報、たとえば音声通話料を付加して表示する。さらに制御部１１は、ユーザがメールを作成するときにも、サービス情報に基づく情報、たとえば相手のメール受信料金を計算するとき参考になるように、メール本文のｂｙｔｅ数つまりデータ量を表示部１３に表示する。
【００５８】
サービス情報の取得についても、制御部１１は、ユーザが入力部１４を操作して、サービス情報を取得する指示を行なったときに、データベース７のサーバにアクセスしてサービス情報を取得するようにしてもよいし、または自動的に、たとえばアドレス帳に新規に登録するときは、必ずデータベース７のサーバにアクセスしてサービス情報を取得するようにしてもよい。電気通信事業者つまりキャリアが提供するサービス情報は、データベース７とは別のデータベースに記憶してもよい。
【００５９】
さらに電話機５の制御部１１は、入力部１４によって入力された変更情報に基づいて表示部１３に表示されたキャリア情報に基づいて生成された情報を変更する。変更情報は、表示部１３に表示された選択情報に含まれるキャリア情報に基づいて生成された情報を変更するための情報である。制御部１１は、変更されたキャリア情報に基づいて生成された情報を、記憶部１２に記憶されたアドレス帳に登録する。
【００６０】
このように、電気通信事業者のサービス情報を取得して、表示することができるので、お互いの通信コストを考慮することができ、かつ各電気通信事業者特有の割引サービスおよび同じ電気通信事業者間にのみ適用されるサービスを十分に有効利用することによって、心地よくかつ効率のよいコミュニケーションを行うことができる。
【００６１】
図６は、図５に示したディスプレイ５０に表示されたメッセージの例を示す図である。図６（ａ）は、音声通話の発信先を選択するための音声通話選択画面の一例である。「音声通話発信先選択」という画面のタイトル、および２つの発信先に関する情報が表示されている。音声通話選択画面の上部の発信先は、発信先の氏名「●宛先  一郎」、電気通信事業者名「・ＮＴ＊  ｄｏｃｏ＊＊」、および電話の種類「・会社（固定）」と表示されている。音声通話選択画面の下部の発信先は、発信先の氏名「●受  信子」、電気通信事業者名「・ｖｏｄａｆｏ＊＊」、および電話の種類「・自宅（固定）」と表示されている。
【００６２】
図６（ｂ）は、メールの送信先を選択するためのメール送信先選択画面の一例である。「メール送信先選択」という画面のタイトル、および２つの送信先に関する情報が表示されている。メール送信先選択画面の上部の送信先は、送信先の氏名「●宛先  一郎」、電気通信事業者名「・ＮＴ＊  ｄｏｃｏ＊＊」、およびサービス情報に基づく情報「＊ショートメッセージサービスが利用できます」と表示されている。メール送信先選択画面の下部の送信先は、送信先の氏名「●受  信子」および電気通信事業者名「・ｖｏｄａｆｏ＊＊」と表示されている。
【００６３】
図６（ｃ）は、音声通話の発信先を選択するための音声通話選択画面の他の例である。「発信先選択」という画面のタイトル、および２つの発信先に関する情報が表示されている。音声通話選択画面の上部の発信先は、発信先の氏名「●宛先  二郎」、電気通信事業者名とサービス情報に基づく情報「・ＮＴ＊  ｄｏｃｏ＊＊（４０円／分）」、および電話の種類「・会社（固定）」と表示されている。音声通話選択画面の下部の発信先は、発信先の氏名「●受  信子」、電気通信事業者名とサービス情報に基づいて生成された情報「・ｖｏｄａｆｏ＊＊（現在△サービス中：○円／分）」、および電話の種類「・自宅（固定）」と表示されている。
【００６４】
図６（ｄ）は、メールを作成するためのメール作成画面である。「メール作成」というタイトル、サービス情報に基づいて生成された情報、およびメール本文が表示されている。サービス情報に基づいて生成された情報は「ｔｏ  ｖｏｄａｆｏ＊＊：○ｂｙｔｅ受信無料  現在△ｂｙｔｅ」と、およびメール本文は「明日の待ち合わせ時間を連絡します・・・」と表示されている。
【００６５】
このように、各キャリアが提供する音声通話サービスおよびメール送受信サービスに関する情報が表示されるので、表示されたサービスを利用して発信することができる。特に、メール送受信サービスは、相手の電子メールアドレスを知らなくても、相手の電話番号がわかれば、同じキャリアの電話機間で送受信することができるショートメッセージサービスを利用でき、コストも比較的割安に利用することができる。さらに各キャリアが提供するサービス情報に基づく情報も表示することができるので、ユーザは、たとえば図６（ｃ）に示した音声通話選択画面では、通話料金を知ることができ、さらに図６（ｄ）に示したメール作成画面では、相手のメール受信料金を計算するとき参考になるように、メール本文のｂｙｔｅ数つまりデータ量を表示している。
【図面の簡単な説明】
【００６６】
【図１】本発明の実施の一形態である発信者情報表示方法が適用されるシステムの概略構成を示す図である。
【図２】図１に示したディスプレイ１０に表示されたキャリア情報の例を示す図である。
【図３】本発明の実施の他の形態である電話機１の概略構成を示す図である。
【図４】本発明の実施の一形態である発信者情報表示方法における処理の流れの一例を示すフローチャートである。
【図５】本発明の実施のさらに他の形態である電話機５が関連するシステムの概略構成を示す図である。
【図６】図５に示したディスプレイ５０に表示されたメッセージの例を示す図である。
【符号の説明】
【００６７】
１，５  電話機
２  携帯電話機
３  基地局
４  電話交換システム
６  ネットワーク
７  データベース
１０，２０，５０  ディスプレイ
１１  制御部
１２  記憶部
１３  表示部
１４  入力部
１５  送受信部
１６  通話部
【図１】
2006121512.tif 000003
【図２】
2006121512.tif 000004
【図３】
2006121512.tif 000005
【図４】
2006121512.tif 000006
【図５】
2006121512.tif 000007
【図６】
2006121512.tif 000008